(57)【要約】【課題】温かい食品を迅速に冷却する専用スペースを、蓄冷材を配置した冷蔵室の開閉扉のドアポケットに設けることにより、他の食品に悪影響を及ぼすことなく、消費電力の削減にも寄与できるようにした冷蔵庫を提供する。【解決手段】天井カバー１９の冷気吹出口１７に一番近いところに配置されている開閉扉１０の最上段のドアポケット２６の前面壁２６ａ、左右壁面２６ｂおよび底面２６ｃの少なくともいずれかに蓄冷材２９を配置し、前記ドアポケット２６に前記蓄冷材２９を保持するための保持部を設け、前記蓄冷材２９を前記ドアポケット２６の前面壁２６ａと前記保持部との間に挟み込むようにして取付け取外し可能にするとともに、前記ドアポケット２６の前面壁２６ａに、複数の穴部２６ｄを設けている。【選択図】  図２
2004251566.tif 000002
【特許請求の範囲】
【請求項１】
外箱と内箱間に断熱材を充填してなる断熱箱体の内部を複数の断熱仕切体によって上部の複数の貯蔵室と下部の冷凍室とに区画し、上部の前記貯蔵室の後方に、同上部貯蔵室用の冷気を生成する冷却器と、生成した冷気を強制循環する送風機を設け、前記冷却器の前方に仕切板を設けて冷気生成室を形成するとともに、前記内箱の天井に、少なくとも前方方向に冷気吹出口を有する天井カバーを被せ、前記内箱と前記天井カバーおよび庫内背面の前記仕切板との間に、前記冷気生成室と連通する冷気通路を形成し、前記上部貯蔵室の開口面に、同上部貯蔵室の開口面を密閉する複数のドアポケットを有する開閉扉を配設してなる冷蔵庫において、
前記開閉扉のドアポケットの前面壁、左右壁面または底面の少なくともいずれかに蓄冷材を配置してなることを特徴とする冷蔵庫。
【請求項２】
前記ドアポケットに前記蓄冷材を保持するための保持部を設け、同保持部に前記蓄冷材を取付け取外し可能にしてなることを特徴とする請求項１記載の冷蔵庫。
【請求項３】
前記ドアポケットの前面壁に、複数の穴部を設けてなることを特徴とする請求項１または２記載の冷蔵庫。
【請求項４】
前記蓄冷材を、前記天井カバーの前記冷気吹出口に近い、最上段の前記ドアポケットに配置してなることを特徴とする請求項１乃至請求項３記載の冷蔵庫。
【請求項５】
前記ドアポケットの前面壁を、複数の湾曲部に形成してなることを特徴とする請求項１乃至請求項４記載の冷蔵庫。
【請求項６】
前記ドアポケットを二重構造として、その間に前記蓄冷材を挟み込むように形成してなることを特徴とする請求項１および請求項３  乃至請求項４記載の冷蔵庫。
【発明の詳細な説明】
【０００１】
【発明の属する技術分野】
本発明は冷蔵庫に係わり、詳しくは、開閉扉のドアポケットに収納される食品を迅速に冷却するために、蓄冷材をドアポケットに配設し利用した冷蔵庫の構造に関するものである。
【０００２】
【従来の技術】
冷蔵庫には、例えば図１に示すように、外箱２と内箱３間に断熱材４を充填してなる断熱箱体１の内部を断熱仕切体５、６によって上部の冷蔵室７と中央の野菜室８と下部の冷凍室９とに区画し、前記冷蔵室７の後方に、同冷蔵室７と前記野菜室８用の冷気を生成する冷却器１３と、生成した冷気を強制循環する送風機２０を設け、前記冷却器１３の前方に仕切板１４を設けて冷気生成室１５を形成すると共に、前記野菜室８内の冷気を前記冷気生成室１５に戻す冷気戻り口１６ｂを形成したカバー１６ａを有する冷気戻し通路１６を形成している。
【０００３】
その一方、前記内箱３の天井に、少なくとも前方左右方向に冷気吹出口１７を有する天井カバー１９を被せ、前記内箱３と前記天井カバー１９および前記冷蔵室７内背面の前記仕切板１４との間に、前記冷気生成室１５と連通する冷気通路１８を形成し、前記冷蔵室７に満遍なく冷気を供給するようにしたものがある。
【０００４】
前記冷却器１３で生成した冷気が前記送風機２０により、前記天井に設けられた前記冷気吹出口１７から前記冷蔵室７内に供給され、同冷蔵室７内背面に設けられた前記冷気戻り口１６ｂから前記冷気戻し通路１６に戻され、戻ってきた冷気は前記冷却器１３の下部に戻すようになっている。
【０００５】
前記冷蔵室７内に、上下方向に間隔をあけて、食品等を載置する複数の棚板２５が備えられている。また、前記冷蔵室７の開口面に、同冷蔵室７を密閉する開閉扉１０を配設しており、同開閉扉１０に、複数の食品を収納するドアポケット２６、２７、２８を配置している。
【０００６】
また、前記冷凍室９の後方に同冷凍室９専用の冷却器２１と冷気強制循環用の送風機２２を配置し、その前方に冷気吹出口等を有する前面カバー２３を設けた構成になっている。なお、符号２４は圧縮機、１１は野菜室８の扉、１２は冷凍室９の扉である。
【０００７】
しかしながら、前記冷蔵庫においては、温かい食品を早く冷やそうとして、前記冷凍室９に入れることがあるが、取り出すことを忘れて凍らせてしまう可能性があり、前記冷蔵室７内に温かい食品を収納すると、冷却時間がかかり、近傍の他の食品に悪影響を及ぼす恐れや、消費電力が多くかかり省エネルギ的に不利になってしまう恐れのある問題を有していた。
【０００８】
【発明が解決しようとする課題】
本発明においては、上記の問題点に鑑み、温かい食品を迅速に冷却する専用スペースを、前記冷蔵室の開閉扉のドアポケットに設け、同ドアポケットに蓄冷材を配置することにより、他の食品に悪影響を及ぼすことなく、消費電力の削減にも寄与できるようにした冷蔵庫を提供することを目的としている。
【０００９】
【課題を解決するための手段】
本発明は、上記問題点を解決するため、外箱と内箱間に断熱材を充填してなる断熱箱体の内部を複数の断熱仕切体によって上部の複数の貯蔵室と下部の冷凍室とに区画し、上部の前記貯蔵室の後方に、同上部貯蔵室用の冷気を生成する冷却器と、生成した冷気を強制循環する送風機を設け、前記冷却器の前方に仕切板を設けて冷気生成室を形成するとともに、前記内箱の天井に、少なくとも前方方向に冷気吹出口を有する天井カバーを被せ、前記内箱と前記天井カバーおよび庫内背面の前記仕切板との間に、前記冷気生成室と連通する冷気通路を形成し、前記上部貯蔵室の開口面に、同上部貯蔵室の開口面を密閉する複数のドアポケットを有する開閉扉を配設してなる冷蔵庫において、
前記開閉扉のドアポケットの前面壁、左右壁面または底面の少なくともいずれかに蓄冷材を配置した構成となっている。
【００１０】
前記ドアポケットに前記蓄冷材を保持するための保持部を設け、同保持部に前記蓄冷材を取付け取外し可能にした構成となっている。
【００１１】
前記ドアポケットの前面壁に、複数の穴部を設けた構成となっている。
【００１２】
前記ドアポケットの前面壁を、複数の湾曲部に形成した構成となっている。
【００１３】
前記蓄冷材を、前記天井カバーの前記冷気吹出口に近い、最上段の前記ドアポケットに配置した構成となっている。
【００１４】
前記ドアポケットを二重構造として、その間に前記蓄冷材を挟み込むように形成した構成となっている。
【００１５】
【発明の実施の形態】
以下、本発明の実施の形態を、添付図面に基づいた実施例として説明する。
図１は本発明による冷蔵庫の形態を示す側断面図であり、図２は本発明による実施例の要部拡大側断面図（Ａ）と、ドアポケットの形態を示す要部拡大側断面図（Ｂ）であり、図３は本発明による第一の実施例のドアポケットの形態を示す斜視図であり、図４本発明による第二の実施例のドアポケットの形態を示す斜視図であり、図５は本発明による第三の実施例のドアポケットの形態を示す斜視図である。
なお、従来と同じ部分の符号は同一とする。
【００１６】
図において、１は鋼板製の外箱２と、合成樹脂製の内箱３と、発泡断熱材４等からなる断熱箱体（冷蔵庫本体ともいう）で、その内部は断熱仕切体５、６によって、上部の冷蔵室７と、中央の野菜室８と、下部の冷凍室９とに区画形成されている。
【００１７】
前記冷蔵室７の後方には、同冷蔵室７と前記野菜室８用の冷気を生成する冷却器１３と、生成した冷気を強制循環する送風機２０を設け、前記冷却器１３の前方に仕切板１４を設けて冷気生成室１５を形成するとともに、前記野菜室８内の冷気を前記冷気生成室１５に戻す冷気戻り口１６ｂを形成したカバー１６ａを有する冷気戻し通路１６を形成している。
【００１８】
その一方、前記内箱３の天井に、少なくとも前方左右方向に冷気吹出口１７を有する天井カバー１９を被せ、前記内箱３と前記天井カバー１９および前記冷蔵室７内背面の前記仕切板１４との間に、前記冷気生成室１５と連通する冷気通路１８を形成し、前記冷蔵室７に満遍なく冷気を供給するようにしたものがある。
【００１９】
前記冷蔵室７内に、上下方向に間隔をあけて、食品等を載置する複数の棚板２５が備えられている。また、前記冷蔵室７の開口面に、同冷蔵室７を密閉する開閉扉１０を配設しており、同開閉扉１０に、複数の食品を収納するドアポケット２６、２７、２８を配置している。
【００２０】
また、前記冷凍室９の後方に同冷凍室９専用の冷却器２１と冷気強制循環用の送風機２２を配置し、その前方に冷気吹出口等を有する前面カバー２３を設けた構成になっている。なお、符号２４は圧縮機、１１は野菜室８の扉、１２は冷凍室９の扉である。
【００２１】
次に、前記冷気生成室１５内に配置されている前記冷却器１３について説明する。前記冷却器１３によって生成された冷気は前記送風機２０の動作に伴って前記冷気通路１８内を前進し、前方の前記冷気吹出口１７から前記冷蔵室７に送出された後、同冷蔵室７内背面に設けられた前記冷気戻り口１６ｂから前記冷気戻し通路１６に戻され、戻ってきた冷気は前記冷却器１３の下部に戻すようになっている。
【００２２】
図２および図３の第一の実施例で示すように、前記天井カバー１９の前記冷気吹出口１７に一番近いところに配置されている前記開閉扉１０の最上段のドアポケット２６の前面壁２６ａ、左右壁面２６ｂおよび底面２６ｃに蓄冷材２９を配置した構成となっている。前記冷気吹出口１７から吹き出された冷気は前記冷蔵室７内で一番低い温度の冷気であり、前記ドアポケット２６に配置した前記蓄冷材２９の熱を奪い蓄冷される。なお、前記蓄冷材２９は前記ドアポケット２６の前面壁２６ａ、左右壁面２６ｂまたは底面２６ｃの少なくともいずれかに配置してもよい。
【００２３】
前記ドアポケット２６に前記蓄冷材２９を配置したことにより、前記ドアポケット２６に収納される温かい食品を、前記蓄冷材２９と前記冷気吹出口１７から吹き出される冷気により、素早く冷却することができるようになり、温かい食品を早く冷やそうとして、前記冷凍室９に入れることもなく、前記冷蔵室７内に温かい食品を収納しても、素早く冷却できるので、近傍の他の食品に悪影響を及ぼすこともなくなる。
【００２４】
また、前記ドアポケット２６に前記蓄冷材２９を保持するための保持部３０を設け、前記蓄冷材２９を前記ドアポケット２６の前面壁２６ａと前記保持部３０との間に挟み込むようにして取付け取外し可能にするとともに、前記ドアポケット２６の前面壁２６ａに、複数の穴部２６ｄを設け、冷気が前記蓄冷材２９に直接当たるようにして、より迅速な冷却効果を得る構成となっている。
【００２５】
第二の実施例として、図４で示すように、第一の実施例との違いは前記ドアポケット２６の前面壁２６ａを、複数の湾曲部２６ｅに形成したもので、より多くの蓄冷面積を増やし、熱を奪うようにしている。特にビール缶やジュース缶等の冷却に適している。
【００２６】
第三の実施例として、図５で示すように、前記ドアポケット２６を外ケース３１と内ケース３２からなる二重構造として、その間に前記蓄冷材２９を挟み込むように形成するとともに、前記外ケース３１の前面壁３１ａおよび前記内ケース３２の底面３２ａにそれぞれ複数のくり抜き部３１ｂ、３２ｂを設けたもので、多くの冷気が前記蓄冷材２９に直接当たるようにして、より迅速な冷却効果を得るようにしている。
【００２７】
上記構成により、前記天井カバー１９の前記冷気吹出口１７に一番近いところに配置されている前記開閉扉１０の最上段のドアポケット２６に前記蓄冷材２９を配置したことにより、前記ドアポケット２６に収納される温かい食品を、前記蓄冷材２９と前記冷気吹出口１７から吹き出される冷気により、素早く冷却することができるようになり、消費電力が多くかかり省エネルギ的に不利になってしまう恐れのある問題をなくすことができる。
【００２８】
【発明の効果】
以上説明したように、本発明によれば、温かい食品を迅速に冷却する専用スペースを、前記冷蔵室の開閉扉のドアポケットに設け、同ドアポケットに蓄冷材を配置することにより、他の食品に悪影響を及ぼすことなく、消費電力の削減にも寄与できるようにした冷蔵庫となる。
【図面の簡単な説明】
【図１】本発明による冷蔵庫の形態を示す側断面図である。
【図２】本発明による実施例の要部拡大側断面図（Ａ）と、ドアポケットの形態を示す要部拡大側断面図（Ｂ）である。
【図３】本発明による第一の実施例のドアポケットの形態を示す斜視図である。
【図４】本発明による第二の実施例のドアポケットの形態を示す斜視図である。
【図５】本発明による第三の実施例のドアポケットの形態を示す斜視図である。
【符号の説明】
１  断熱箱体（冷蔵庫本体）
２  外箱
３  内箱
４  断熱材
５、６  断熱仕切体
７  冷蔵室
８  野菜室
９  冷凍室
１０  冷蔵室扉
１１  野菜室扉
１２  冷凍室扉
１３  冷却器
１４  仕切板
１５  冷気生成室
１６  冷気戻し通路
１６ａ  カバー
１６ｂ  冷気戻り口
１７  冷気吹出口
１８  冷気通路
１９  天井カバー
２０  送風機
２１  冷却器
２２  送風機
２３  前面カバー
２４  圧縮機
２５  棚板
２６、２７、２８  ドアポケット
２９  畜冷材
３０  保持部
３１  外ケース
３２  内ケース
【図１】
2004251566.tif 000003
【図２】
2004251566.tif 000004
【図３】
2004251566.tif 000005
【図４】
2004251566.tif 000006
【図５】
2004251566.tif 000007